(57)【特許請求の範囲】
【請求項１】
少なくとも一台以上の遊技台を有する遊技場に具備された遊技場システムと、前記遊技場の予算の入力を受け付ける管理事務所端末との間でネットワークを介してデータの送受信が可能な営業管理サーバである、遊技台管理指示システムであって、
前記遊技台管理指示システムは、
前記遊技場毎の予算を格納している予算データベースと、
前記遊技場及び／又は前記遊技台毎の実績を格納している実績データベースと、
前記遊技場及び／又は前記遊技台に対する管理指示を格納しており、前記管理指示が、前記実績データベースにおける実績に対応づけられている管理指示データベースと、
前記実績データベースにおける前記実績は前記管理指示に対応づけられており、
前記管理事務所端末から前記遊技場に対する予算を受信し、前記予算データベースに格納する予算手段と、
前記遊技場システムから前記遊技場及び／又は前記遊技台の実績を受信し、前記実績データベースに格納する実績手段と、
前記管理事務所端末から前記遊技場及び／又は前記遊技台に対する管理指示案及び／又は管理指示を受信し、前記管理指示を前記管理指示データベースに格納する管理指示手段と、
前記遊技場及び／又は前記遊技台に対する過去の管理指示とその実績データとに基づいて推定データを算出する推定手段と、を有しており、
前記推定手段は、
前記受信した管理指示案と同一の管理指示に対応する実績を前記実績データベースから抽出し、それを推定データとして前記管理事務所端末に送信する、
ことを特徴とする遊技台管理指示システム。
【請求項２】
少なくとも一台以上の遊技台を有する遊技場に具備された遊技場システムと、前記遊技場の予算の入力を受け付ける管理事務所端末との間でネットワークを介してデータの送受信が可能な営業管理サーバである、遊技台管理指示システムであって、
前記遊技台管理指示システムは、
前記遊技場毎の予算を格納している予算データベースと、
前記遊技場及び／又は前記遊技台毎の実績を格納している実績データベースと、
前記遊技場及び／又は前記遊技台に対する管理指示を格納しており、前記管理指示が、前記実績データベースにおける実績に対応づけられている管理指示データベースと、
前記管理事務所端末から前記遊技場に対する予算を受信し、前記予算データベースに格納する予算手段と、
前記遊技場システムから前記遊技場及び／又は前記遊技台の実績を受信し、前記実績データベースに格納する実績手段と、
前記管理事務所端末から前記遊技場及び／又は前記遊技台に対する管理指示案及び／又は管理指示を受信し、前記管理指示を前記管理指示データベースに格納する管理指示手段と、
前記遊技場及び／又は前記遊技台に対する過去の管理指示とその実績データとに基づいて、前記受信した管理指示案に対する推定データを算出する推定手段と、を有しており、
前記管理指示手段は、
前記算出した推定データが前記予算データベースに格納した予算と同一または近似する管理指示案を、前記管理指示として受信する、
ことを特徴とする遊技台管理指示システム。
【請求項３】
前記推定手段は、
前記管理指示手段で受信した前記管理指示案に基づいて、前記管理指示案と同一の管理指示を前記管理指示データベースから抽出し、前記抽出した管理指示に対する実績を前記実績データベースから抽出し、前記抽出した実績を推定データとして前記管理事務所端末に送信する、
ことを特徴とする請求項１または請求項２に記載の遊技台管理指示システム。
【請求項４】
前記遊技場システムは、更に、
前記遊技台から前記遊技台の稼働状態に関する信号を受信し、それに基づいて遊技台の出玉数を含む遊技データに編集する遊技管理手段と、
前記遊技場に予め具備している少なくとも一台以上の売上カウント手段から、その売上カウント手段の売上に関するデータを受信して、売上データに編集する売上管理手段と、
前記遊技管理手段から前記遊技データ及び前記売上管理手段から前記売上データを受信し、前記遊技データ及び前記売上データに基づいて前記遊技場及び／又は前記遊技台の実績を編集し、前記営業管理サーバに送信するデータ送信手段と、
を有することを特徴とする請求項１から請求項３のいずれかに記載の遊技台管理指示システム。
【請求項５】
前記遊技場システムは、更に、
前記管理指示データベースに格納している前記遊技場及び／又は前記遊技台に対する管理指示を受信し閲覧する管理指示受信手段、
を有することを特徴とする請求項１から請求項４のいずれかに記載の遊技台管理指示システム。
【発明の詳細な説明】
【０００１】
【発明の属する技術分野】
本発明は、少なくとも一以上の遊技場に於ける遊技台に対して、全店舗に横断的且つ速やかなる管理指示が行える遊技台管理指示システムに関する。
【０００２】
【従来の技術】
パチンコ店やゲームセンタ等（以下、遊技場）等の遊技場に於ける予算実績管理は、従来は遊技場の経営規模が小さく一人のオーナーが１店舗乃至数店舗を経営を行う程度であった。又、予算実績管理に基づく遊技場に設置されている遊技台の管理指示も、遊技台の管理を行う管理者個人の勘と経験とに基づいて行われていた。
【０００３】
近年、遊技場の経営規模が数十店舗から数百店舗に拡大するのに伴い、従来のような各店舗毎の遊技場の予算実績管理及び管理指示に対して、全店舗に横断的な予算実績管理及び前記予算実績管理に基づく管理指示が行われる必要性が生じている。
【０００４】
【発明が解決しようとする課題】
従って現在では全店舗を管理統括する営業本部から、予算を各管理者に対して電話やＦＡＸ等を用いて連絡することによって、その連絡を受けた管理者が店舗に割り振られた予算に従って、自らの勘と経験とに基づいて各遊技台を予算に収束するように管理している。
【０００５】
しかし前記方法を用いた場合、各遊技台の管理は管理者個人のノウハウに基づく為、全店舗に横断的な管理指示は困難である。即ち、管理者が異なると、遊技台に対する管理が同じ予算であっても異なる場合が多々存在する。その為、正確且つ速やかなる管理が行えず、予算に対して収束するタイミングには店舗毎、遊技台毎にバラツキがあり、全店舗に横断的で効率的な営業管理が行えない。又、予算と実績とに対する遊技台毎のリアルタイムな管理指示も困難である。
【０００６】
【課題を解決するための手段】
本発明は、前記問題点に鑑み、各店舗から受信する実績データと、店舗を管理する営業本部の予算とに基づいて、各店舗の各遊技台の実績を推定し、その推定データに基づいて、各店舗及び／又は各遊技台に対する管理指示を行うことによって、全店舗に横断的且つ速やかなる管理指示を可能とする、遊技台管理指示システムを考案した。
【０００７】
請求項１の発明は、少なくとも一台以上の遊技台を有する遊技場に具備された遊技場システムと、前記遊技場の予算の入力を受け付ける管理事務所端末との間でネットワークを介してデータの送受信が可能な営業管理サーバである、遊技台管理指示システムであって、前記遊技台管理指示システムは、前記遊技場毎の予算を格納している予算データベースと、前記遊技場及び／又は前記遊技台毎の実績を格納している実績データベースと、前記遊技場及び／又は前記遊技台に対する管理指示を格納しており、前記管理指示が、前記実績データベースにおける実績に対応づけられている管理指示データベースと、前記実績データベースにおける前記実績は前記管理指示に対応づけられており、前記管理事務所端末から前記遊技場に対する予算を受信し、前記予算データベースに格納する予算手段と、前記遊技場システムから前記遊技場及び／又は前記遊技台の実績を受信し、前記実績データベースに格納する実績手段と、前記管理事務所端末から前記遊技場及び／又は前記遊技台に対する管理指示案及び／又は管理指示を受信し、前記管理指示を前記管理指示データベースに格納する管理指示手段と、前記遊技場及び／又は前記遊技台に対する過去の管理指示とその実績データとに基づいて推定データを算出する推定手段と、を有しており、前記推定手段は、前記受信した管理指示案と同一の管理指示に対応する実績を前記実績データベースから抽出し、それを推定データとして前記管理事務所端末に送信する、遊技台管理指示システムである。
また請求項２の発明は、少なくとも一台以上の遊技台を有する遊技場に具備された遊技場システムと、前記遊技場の予算の入力を受け付ける管理事務所端末との間でネットワークを介してデータの送受信が可能な営業管理サーバである、遊技台管理指示システムであって、前記遊技台管理指示システムは、前記遊技場毎の予算を格納している予算データベースと、前記遊技場及び／又は前記遊技台毎の実績を格納している実績データベースと、前記遊技場及び／又は前記遊技台に対する管理指示を格納しており、前記管理指示が、前記実績データベースにおける実績に対応づけられている管理指示データベースと、前記管理事務所端末から前記遊技場に対する予算を受信し、前記予算データベースに格納する予算手段と、前記遊技場システムから前記遊技場及び／又は前記遊技台の実績を受信し、前記実績データベースに格納する実績手段と、前記管理事務所端末から前記遊技場及び／又は前記遊技台に対する管理指示案及び／又は管理指示を受信し、前記管理指示を前記管理指示データベースに格納する管理指示手段と、前記遊技場及び／又は前記遊技台に対する過去の管理指示とその実績データとに基づいて、前記受信した管理指示案に対する推定データを算出する推定手段と、を有しており、前記管理指示手段は、前記算出した推定データが前記予算データベースに格納した予算と同一または近似する管理指示案を、前記管理指示として受信する、遊技台管理指示システムである。
【０００８】
請求項３の発明は、前記推定手段は、前記管理指示手段で受信した前記管理指示案に基づいて、前記管理指示案と同一の管理指示を前記管理指示データベースから抽出し、前記抽出した管理指示に対する実績を前記実績データベースから抽出し、前記抽出した実績を推定データとして前記管理事務所端末に送信する、遊技台管理指示システムである。
【０００９】
請求項４の発明は、前記遊技場システムは、更に、前記遊技台から前記遊技台の稼働状態に関する信号を受信し、それに基づいて遊技台の出玉数を含む遊技データに編集する遊技管理手段と、前記遊技場に予め具備している少なくとも一台以上の売上カウント手段から、その売上カウント手段の売上に関するデータを受信して、売上データに編集する売上管理手段と、前記遊技管理手段から前記遊技データ及び前記売上管理手段から前記売上データを受信し、前記遊技データ及び前記売上データに基づいて前記遊技場及び／又は前記遊技台の実績を編集し、前記営業管理サーバに送信するデータ送信手段と、を有する遊技台管理指示システムである。
【００１０】
請求項５の発明は、前記遊技場システムは、更に、前記管理指示データベースに格納している前記遊技場及び／又は前記遊技台に対する管理指示を受信し閲覧する管理指示受信手段、を有する遊技台管理指示システムである。
【００１１】
本発明に於ける営業管理サーバに格納された管理指示に基づいて、遊技場の管理者が遊技場及び／又は遊技台の管理を行うことによって、全店舗に横断的な管理が行えることとなる。又管理者に対する管理指示の作成の際に、過去の同一又は類似の管理指示に基づく実績データを参考とすることによって、予算に対して収束性の高い管理指示案を作成することが可能となる。
【００１２】
又予算に対して収束性の高い管理指示を作成することが可能となることによって、従来より早く予算を到達することが可能となり、これにより全店舗の効率的な営業管理が可能ともなる。
【００１３】
【発明の実施の形態】
本発明の実施態様の遊技台管理指示システム１のシステム構成の一例を図１のシステム構成図に示す。少なくとも一以上の遊技場に設置されている遊技場システム３と、各遊技場のデータを統括する営業本部が有する営業管理サーバ２と、各遊技場の予算の入力を受け付ける管理事務所端末４とは、ネットワーク２２を介してデータの送受信が可能である。本実施態様に於いては、遊技場としてパチンコ店、遊技台１５としてパチンコ台である場合を説明するが、ゲームセンタ等の他の遊技場、遊技台１５等であっても同様に実現できる。
【００１４】
本実施態様に於いてネットワーク２２は、インターネット等のオープンネットワーク、ＬＡＮ等のクローズドネットワークの何れであっても良く、有線、無線等の区別も問わない。
【００１５】
営業管理サーバ２は、予算手段５、管理指示手段６、実績手段７、推定手段８、予算データベース９、管理指示データベース１０、実績データベース１１とを有している。
【００１６】
予算手段５は、管理事務所端末４から各遊技場の予算を受信し、予算データベース９に格納する手段である。
【００１７】
実績手段７は、遊技場システム３からネットワーク２２を介して遊技場、遊技台１５の実績データを受信し、各遊技場、遊技台１５毎に実績データベース１１に格納する手段である。
【００１８】
推定手段８は、遊技場、遊技台１５毎に対する管理指示を行った場合の推定データを算出する手段である。即ち、管理指示データベース１０と実績データベース１１とに格納している、過去に下した管理指示とその実績データとに基づいて、推定データを算出し、管理事務所端末４に送信する手段である。
【００１９】
管理指示手段６は、予算データベース９に格納している各遊技場の予算に遊技場、遊技台１５の実績が収束するように、遊技場、遊技台１５に対する管理指示を管理事務所端末４から受信し、前記管理指示を管理指示データベース１０に格納する手段である。
【００２０】
予算データベース９は、予算手段５に於いて管理事務所端末４から受信した各遊技場毎の予算を格納しているデータベースである。
【００２１】
実績データベース１１は、各遊技場、遊技台１５毎の実績データを格納しているデータベースである。
【００２２】
管理指示データベース１０は、管理指示手段６に於いて管理事務所端末４から受信した遊技場、遊技台１５に対する管理指示を格納しているデータベースである。
【００２３】
遊技場システム３は、遊技管理手段１３、アダプタ１４、遊技台１５、売上管理手段１７、景品交換端末１８、計数機１９、券売機２０、台間玉貸機２１、データ送信手段１２、管理指示手段６を有している。
【００２４】
遊技台１５には信号線がアダプタ１４と接続しており、遊技台１５の稼働状態を示すオンオフ信号をアダプタ１４に送信する。アダプタ１４は、受信したオンオフ信号をＬＡＮ等のクローズドネットワークを介して遊技管理手段１３に送信する。
【００２５】
遊技管理手段１３は、遊技台１５とアダプタ１４等の遊技手段から受信したオンオフ信号に基づいて遊技台１５毎の遊技データに編集する手段である。ここで遊技データとは、遊技台１５の稼働状態を示しているオンオフ信号に基づいて遊技台１５の出玉数等を示す。又遊技手段とは、パチンコ台やパチスロ台等の遊技を行う台を示し、本実施態様に於いては遊技台１５とアダプタ１４とからなる場合を説明するが、他の遊技台１５（例えばゲーム機等）の稼働状態を示すシステムであっても良い。
【００２６】
景品交換端末１８は、景品交換の実績をカウントし売上管理手段１７に送信する端末である。計数機１９は、景品交換された出玉数をカウントし売上管理手段１７に送信する。券売機２０は、遊技台１５に於いて遊技を行う際のプリペイドカード等の売上をカウントし売上管理手段１７に送信する。台間玉貸機２１は、個々の遊技台１５の売上をカウントし売上管理手段１７に送信する。
【００２７】
売上管理手段１７は、景品交換端末１８、計数機１９、券売機２０、台間玉貸機２１等の売上カウント手段から受信する売上データに編集する手段である。ここで売上カウント手段とは、本実施態様に於いては景品交換端末１８、計数機１９、券売機２０、台間玉貸機２１等である場合を説明するが、その他の売上をカウントするシステムであっても良い。
【００２８】
データ送信手段１２は、遊技管理手段１３と売上管理手段１７とから、遊技データと売上データとを受信し、受信した遊技データ、売上データとに基づいて遊技場、遊技台１５毎の実績データを算出し、営業管理サーバ２にネットワーク２２を介して送信する手段である。
【００２９】
管理指示受信手段１６は、営業管理サーバ２の管理指示手段６に於いて作成され、管理指示データベース１０に格納している管理指示を、ネットワーク２２を介して受信する手段である。遊技場の管理者は、管理指示受信手段１６に於いて受信した管理指示を閲覧し、これに基づいて遊技台１５の管理を行っても良いし、場合によっては受信した管理指示に基づいて自動的に遊技台１５の管理を行っても良い。
【００３０】
【実施例】
本発明のプロセスの流れの一例を図１に示すシステム構成図と図２に示すフローチャート図とを用いて詳細に説明する。
【００３１】
遊技場の予算管理を行う担当者は、各遊技場毎の予算を管理事務所端末４から入力し（Ｓ１００）、予算の入力を受け付けた管理事務所端末４は、予算を営業管理サーバ２に送信する。
【００３２】
Ｓ１００に於いて入力された予算を営業管理サーバ２の予算手段５に於いて受信後、予算手段５は、予算データベース９に遊技場毎の予算を格納する。
【００３３】
一方、遊技場システム３は、遊技台１５に於ける稼働状態を示すオンオフ信号をアダプタ１４を介して遊技管理手段１３に対して送信する。遊技管理手段１３は、アダプタ１４を介して送信された遊技台１５毎のオンオフ信号を遊技データとして編集し、データ送信手段１２に送信する（Ｓ１１０）。
【００３４】
又、景品交換端末１８、計数機１９、券売機２０、台間玉貸機２１等の売上カウント手段に於いて発生した売上を、売上管理手段１７に於いて編集し、データ送信手段１２に送信する（Ｓ１２０）。
【００３５】
遊技管理手段１３、売上管理手段１７から受信した遊技データ、売上データに基づいて、データ送信手段１２は、遊技台１５毎の実績データを算出し（Ｓ１３０）、随時又は一定期間毎にネットワーク２２を介して営業管理サーバ２に送信する。
【００３６】
遊技場システム３のデータ送信手段１２から遊技場及び／又は遊技台１５の実績データを受信した営業管理サーバ２の実績手段７は、実績データベース１１に実績データを格納する。
【００３７】
管理指示手段６は、予算データベース９に格納している遊技場の予算と実績データベース１１に格納している遊技場及び／又は遊技台１５の実績データとを照合し、予算と実績データとが近似又は同一でなければ（即ち収束していなければ）（Ｓ１４０）、管理事務所端末４からの遊技場及び／又は遊技台１５への管理指示を受信する。
【００３８】
管理事務所端末４は、予算データベース９に格納している予算と、実績データベース１１に格納している実績データとを受信し、これらが乖離している場合には、遊技場及び／又は遊技台１５に対する管理指示案を作成し、営業管理サーバ２に送信する（Ｓ１５０）。
【００３９】
この管理指示案を管理事務所端末４から受信した管理指示手段６は、Ｓ１５０に於いて受信した管理指示案を推定手段８に送信する。推定手段８に於いて管理指示案を受信後、管理指示案と同一又は類似する管理指示を、管理指示データベース１０から抽出し、抽出した管理指示に基づいた実績がどのようであったかを示す実績データを、実績データベース１１から抽出し、管理指示案に対する推定データとする（Ｓ１６０）。
【００４０】
推定手段８は、Ｓ１６０に於ける推定データを管理事務所端末４に送信し、予算と推定データとが同一又は近似している場合には（Ｓ１７０）、管理指示案を正式な管理指示として決定し、その旨を営業管理サーバ２に送信する（Ｓ１８０）。
【００４１】
Ｓ１７０に於いて、予算と推定データとが乖離している場合には、Ｓ１５０に於いて作成した管理指示案では予算に収束しないことが予想されるので、Ｓ１５０に戻り、異なる管理指示案を作成し再度Ｓ１６０及びＳ１７０を反復する。
【００４２】
Ｓ１８０に於いて決定された管理指示は、営業管理サーバ２の管理指示手段６に於いて受信し、管理指示手段６は管理指示データベース１０に、管理指示を格納する。
【００４３】
遊技場の管理者は、Ｓ１８０に於いて決定され管理指示データベース１０に格納されている管理指示を、遊技場システム３の管理指示受信手段１６に於いて受信・閲覧し、その管理指示に基づいて遊技場及び／又は遊技台１５の管理を行う。
【００４４】
このように、営業管理サーバ２に格納された管理指示に基づいて、遊技場の管理者が遊技場及び／又は遊技台１５の管理を行うことによって、全店舗に横断的な管理が行えることとなる。又管理者に対する管理指示の作成の際に、過去の同一又は類似の管理指示に基づく実績データを参考とすることによって、予算に対して収束性の高い管理指示案を作成することが可能となる。
【００４５】
本発明に於ける各手段、データベースは、その機能が論理的に区別されているのみであって、物理上あるいは事実上は同一の領域を為していても良い。又営業管理サーバ２、遊技場システム３の各手段、各データベース等は、本実施態様に於いては各々一台の端末上に存在している場合を説明しているが、これらが複数の端末上に分散して配置されていても良いことは言うまでもない。
【００４６】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【００４７】
この場合、記憶媒体から読み出されたプログラム自体が前記した実施態様の機能を実現することとなり、そのプログラムを記憶した記憶媒体は本発明を当然のことながら構成することになる。
【００４８】
プログラムコードを供給するための記憶媒体としては、例えばフロッピーディスク、ハードディスク、光ディスク、光磁気ディスク、磁気テープ、不揮発性のメモリカード等を使用することができる。
【００４９】
また、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部または全部を行い、その処理によって前記した実施態様の機能が実現される場合も含まれることは言うまでもない。
【００５０】
さらに、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【００５１】
【発明の効果】
本発明に於ける営業管理サーバに格納された管理指示に基づいて、遊技場の管理者が遊技場及び／又は遊技台の管理を行うことによって、全店舗に横断的な管理が行えることとなる。又管理者に対する管理指示の作成の際に、過去の同一又は類似の管理指示に基づく実績データを参考とすることによって、予算に対して収束性の高い管理指示案を作成することが可能となる。
【００５２】
又予算に対して収束性の高い管理指示を作成することが可能となることによって、従来より早く予算を到達することが可能となり、これにより全店舗の効率的な営業管理が可能ともなる。
【図面の簡単な説明】
【図１】  本発明のシステム構成の一例を示すシステム構成図である。
【図２】  本発明のプロセスの流れの一例を示すフローチャート図である。
【符号の説明】
１：遊技台管理指示システム
２：営業管理サーバ
３：遊技場システム
４：管理事務所端末
５：予算手段
６：管理指示手段
７：実績手段
８：推定手段
９：予算データベース
１０：管理指示データベース
１１：実績データベース
１２：データ送信手段
１３：遊技管理手段
１４：アダプタ
１５：遊技台
１６：管理指示受信手段
１７：売上管理手段
１８：景品交換端末
１９：計数機
２０：券売機
２１：台間玉貸機
２２：ネットワーク
【図１】
0004090220.tif 000002
【図２】
0004090220.tif 000003